(57)【要約】【課題】身体へのフィット性に優れ、防漏壁の内倒れが起こり難く、後方部において伝い漏れを起こし難い生理用ナプキンを提供すること。【解決手段】防漏壁５の前後端部に、弾性伸縮部５３が吸収性本体１０に固定されて、端部固定部５４が形成されていると共に、両前後端部の間に、弾性伸縮部５３の幅方向Ｙの内方側が吸収性本体１０又は起立部５２に固定されて、中間部固定部５５が局部的に形成されている。防漏壁５は、中間部固定部５５を基準として、前方防漏壁５Ａと後方防漏壁５Ｂとに区分され、前方防漏壁５Ａの方が、後方防漏壁５Ｂよりも長手方向Ｙの長さが長い。後方防漏壁５Ｂは、その弾性伸縮部５３の幅方向Ｘの内方側が、長手方向の全長に亘り吸収性本体１０又は起立部５２に固定されており、且つその固定幅は、中間部固定部５５における弾性伸縮部５３の固定幅よりも短い。前方防漏壁５Ａと後方防漏壁５Ｂとで、幅方向Ｘに沿う断面形状が異なる。【選択図】図１
2011125356.tif 000002
【特許請求の範囲】
【請求項１】
液保持性の吸収体及び該吸収体の肌当接面側に配置された表面シートを具備する実質的に縦長の吸収性本体と、該吸収性本体の長手方向に沿う両側部それぞれに配置された一対の防漏壁とを備えた生理用ナプキンであって、
一対の前記防漏壁は、それぞれ、前記吸収体の上方にて本体長手方向に沿って前記表面シートに接合されており、その接合部を起点として着用時に着用者の肌側に向かって起立する起立部と、該起立部の上端部に連接され、本体長手方向に沿って複数本の弾性部材が配されている弾性伸縮部とを含んで構成されており、
前記防漏壁の本体長手方向の前端部及び後端部それぞれに、前記弾性伸縮部が前記吸収性本体に固定されて、端部固定部が形成されていると共に、該前端部と該後端部との間に、該弾性伸縮部の本体幅方向内方側が前記吸収性本体又は前記起立部に固定されて、中間部固定部が局部的に形成されており、
前記防漏壁は、前記中間部固定部を基準として、前記前端部側で且つ着用者の排泄部に対向配置される排泄部対向部を含む領域に位置する前方防漏壁と、前記後端部側に位置する後方防漏壁とに区分され、該前方防漏壁の方が、該後方防漏壁よりも本体長手方向の長さが長くなっており、
前記後方防漏壁は、その前記弾性伸縮部の本体幅方向内方側が、その本体長手方向の全長に亘り前記吸収性本体又は前記起立部に固定されており、且つその固定幅は、前記中間部固定部における前記弾性伸縮部と前記吸収性本体又は前記起立部との固定幅よりも短くなっており、
前記前方防漏壁と前記後方防漏壁とで、本体幅方向に沿う断面形状が異なっている生理用ナプキン。
【請求項２】
前記後方防漏壁の前記弾性伸縮部は、その本体長手方向に沿う外側縁部の方が、該外側縁部とは反対側に位置する該弾性伸縮部の内側縁部よりも、前記表面シートからの高さが高い請求項１記載の生理用ナプキン。
【請求項３】
前記前方防漏壁及び前記後方防漏壁の前記弾性伸縮部は、それぞれ、前記起立部の上端部から本体幅方向内方に張り出す内方弾性伸縮部と、該上端部から本体幅方向外方に張り出す外方弾性伸縮部とを含んで構成されている請求項１又は２記載の生理用ナプキン。
【発明の詳細な説明】
【技術分野】
【０００１】
本発明は、生理用ナプキンに関する。本発明の生理用ナプキンには、ショーツ等の下着に取り付けて使用するパンティライナー、失禁パッドも含まれる。
【背景技術】
【０００２】
生理用ナプキン等の吸収性物品として、液保持性の吸収体を具備する実質的に縦長の吸収性本体と、該吸収性本体の長手方向に沿う両側部それぞれに配置された一対の防漏壁とを備えたものが知られている。従来の防漏壁の構造は、吸収性物品の肌当接面を形成する表面シート上に本体長手方向に延びる防漏壁形成用シートが接合されており、該防漏壁形成用シートに、本体長手方向に延びる弾性部材が伸長状態で接合されたものが一般的である。防漏壁は、その本体長手方向の前端部及び後端部が吸収性本体に固定され、本体長手方向への弾性収縮力が付与されて、該前端部と該後端部との間において、使用者の肌側に向かって起立し、これにより、吸収性物品の側部における体液の漏れを防止している。
【０００３】
前記防漏壁を備えた従来の吸収性物品においては、着用時に着用者の身体からの圧力を受けることにより、起立していた防漏壁が吸収性本体の肌当接面側に向けて倒れ込み、吸収性本体の肌当接面を覆ってしまうことがあった。このような防漏壁の内倒れは、吸収性本体の肌当接面での実質的な液吸収領域を減少させ、体液の漏れを誘発するおそれがある。
【０００４】
防漏壁の内倒れの防止を図った技術として、例えば特許文献１には、基壁部とその上端部に連設された面状の弾性伸縮部とからなる起立可能な防漏壁を有し、着用時に着用者の排泄部に対向配置される排泄部対向部と、該排泄部対向部よりも背側に配される後方部とを長手方向に有する吸収性物品において、排泄部対向部と後方部との間に、前記弾性伸縮部が幅方向の略全域に亘って吸収性本体に固定された、中央固定部を形成することが記載されている。特許文献１に記載の吸収性物品によれば、中央固定部の存在により、排泄部対向部の領域の弾性部材の伸縮応力が、後方部の領域に伝え難くなっているため、横漏れ防止と後ろ方向の漏れ防止とがそれぞれ互いに影響されることなく発現されるとされている。また、特許文献１に記載の吸収性物品においては、後方部における基壁部の上端部から防漏層（裏面シート）までの距離が、排泄部対向部における該距離よりも短くなされており、これにより、後方部における吸収性物品の湾曲の程度と排泄部対向部における吸収性物品の湾曲の程度とを容易且つ効果的に異ならせることができ、吸収性物品の全体形状を、身体の曲面形状に一層フィットした形状とすることができるとされている。
【０００５】
また特許文献２には、吸収性物品の表面側に、立体ギャザー（防漏壁）の構成要素を二組設けると共に、一方側の立体ギャザー構成要素は、排泄部対向部において弾性部材による収縮力によって表面側に起立させるようにし、他方側の立体ギャザー構成要素は、該排泄部対向部よりも長手方向後方側に位置する臀部側対応部位において、弾性部材による収縮力によって表面側に起立させるようにした吸収性物品が記載されている。特許文献２に記載の吸収性物品によれば、排泄部対向部において横方向に流れる体液については、前記一方側の立体ギャザーによって堰き止めることができ、臀部側に一旦流れてから側方に拡散するように横漏れする体液については、前記他方側の立体ギャザーによって堰き止めることができるようになり、また、立体ギャザーを起立させるための弾性部材は、それぞれの立体ギャザー部位で障壁を起立させるように機能するものであるため、立体ギャザーに配置された弾性部材の弾性伸縮力によって吸収性物品の長手方向の湾曲形状が規制を受けすぎて身体に沿わなくなるのを防止することができるとされている。
【０００６】
また特許文献３には、着用時に着用者の肌と平行でなく、全体的に斜めに起立するギャザーカフス（防漏壁）を備えた生理用ナプキンが記載されている。特許文献３に記載の立体ギャザーは、幅方向内側に起立線を有し、幅方向外側が自由縁とされて外向きに斜めに起立するように形成されているため、該立体ギャザーの略幅方向中央部全体が肌に当接し、漏れ防止効果を高め、しかも、肌と平行でなく、全体的に斜めに起立するから、より横漏れ防止効果が高いものとなるとされている。
【先行技術文献】
【特許文献】
【０００７】
【特許文献１】特開２００３−２４５３０６号公報
【特許文献２】特開２００６−２８０５８３号公報
【特許文献３】特開２００１−９５８４１号公報
【発明の概要】
【発明が解決しようとする課題】
【０００８】
一般に、生理用ナプキン着用時の身体各部の動きや身体形状は、経血等の体液の排泄部付近と、該排泄部付近よりも背側に位置する、お尻の後部とで異なっており、それに伴って、ナプキンのフィット性や装着性等も各部で異なっている。具体的には、下記１）〜５）の違いが挙げられる。
１）排泄部付近は、一般に、お尻の後部よりも吸収性物品着用時の動きが大きい。
２）生理用ナプキンの着用者の身体形状は、排泄部付近とお尻の後部とを比較したときに、一般に、それぞれの身体のライン（カーブ）は同じではなく、お尻の後部の方が、排泄部付近よりも上下方向の曲率が小さい。
３）特に就寝体勢において、お尻の後部は、排泄部付近よりも肌とナプキンとの密着性が高い。
４）お尻の後部は、排泄部付近よりもナプキンの装着が難しい。
５）お尻の後部では、特に後方への液流れが発生し易い。
【０００９】
このように、排泄部付近とお尻の後部とでは、形状や動き等に違いがあるため、これらの部位に装着して使用する生理用ナプキンには、前記１）〜５）を考慮した設計が必要となる。特に防漏壁については、排泄部付近を含む、生理用ナプキン長手方向の前方部では、着用者の身体に対する追従性に優れること、及び内倒れを起こし難いことが要望され、また、お尻の後部を含む、生理用ナプキン長手方向の後方部では、身体に対するフィット性に優れ、体液が着用者の肌を伝って後方に流れて漏れ出す、いわゆる伝い漏れを起こし難いことが要望される。特許文献１〜３に記載の防漏壁に関する技術は、斯かる要望に十分に応え得るものではなく、改善の余地があった。
【００１０】
従って本発明の課題は、身体へのフィット性に優れ、防漏壁の内倒れが起こり難く、後方部において伝い漏れを起こし難い生理用ナプキンを提供することにある。
【課題を解決するための手段】
【００１１】
本発明は、液保持性の吸収体及び該吸収体の肌当接面側に配置された表面シートを具備する実質的に縦長の吸収性本体と、該吸収性本体の長手方向に沿う両側部それぞれに配置された一対の防漏壁とを備えた生理用ナプキンであって、一対の前記防漏壁は、それぞれ、前記吸収体の上方にて本体長手方向に沿って前記表面シートに接合されており、その接合部を起点として着用時に着用者の肌側に向かって起立する起立部と、該起立部の上端部に連接され、本体長手方向に沿って複数本の弾性部材が配されている弾性伸縮部とを含んで構成されており、前記防漏壁の本体長手方向の前端部及び後端部それぞれに、前記弾性伸縮部が前記吸収性本体に固定されて、端部固定部が形成されていると共に、該前端部と該後端部との間に、該弾性伸縮部の本体幅方向内方側が前記吸収性本体又は前記起立部に固定されて、中間部固定部が局部的に形成されており、前記防漏壁は、前記中間部固定部を基準として、前記前端部側で且つ着用者の排泄部に対向配置される排泄部対向部を含む領域に位置する前方防漏壁と、前記後端部側に位置する後方防漏壁とに区分され、該前方防漏壁の方が、該後方防漏壁よりも本体長手方向の長さが長くなっており、前記後方防漏壁は、その前記弾性伸縮部の本体幅方向内方側が、その本体長手方向の全長に亘り前記吸収性本体又は前記起立部に固定されており、且つその固定幅は、前記中間部固定部における前記弾性伸縮部と前記吸収性本体又は前記起立部との固定幅よりも短くなっており、前記前方防漏壁と前記後方防漏壁とで、本体幅方向に沿う断面形状が異なっている生理用ナプキンを提供することにより、前記課題を解決したものである。
【発明の効果】
【００１２】
本発明の生理用ナプキンは、身体へのフィット性に優れ、防漏壁の内倒れが起こり難く、後方部において伝い漏れを起こし難い。
【図面の簡単な説明】
【００１３】
【図１】図１は、本発明の生理用ナプキンの一実施形態の肌当接面側（表面シート側）を示す斜視図である。
【図２】図２は、図１のＩ−Ｉ線断面を模式的に示す断面図である。
【図３】図３は、図１のＩＩ−ＩＩ線断面を模式的に示す断面図である。
【図４】図４は、図１のＩＩＩ−ＩＩＩ線断面を模式的に示す断面図である。
【図５】図５（ａ）及び図５（ｂ）は、それぞれ、本発明に係る前方防漏壁の他の実施形態の図４相当図である。
【図６】図６（ａ）〜図６（ｄ）は、それぞれ、本発明に係る後方防漏壁の他の実施形態の図４相当図である。
【発明を実施するための形態】
【００１４】
以下、本発明の生理用ナプキンを、その好ましい一実施形態に基づき図面を参照して説明する。本実施形態のナプキン１は、図１〜図３に示すように、液保持性の吸収体４及び該吸収体４の肌当接面側に配置された表面シート２を具備する吸収性本体１０と、該吸収性本体１０の長手方向に沿う両側部それぞれに配置された一対の防漏壁５，５とを備えている。吸収性本体１０は、一方向に長い形状をしており、実質的に縦長である。
【００１５】
尚、本明細書において、肌当接面は、生理用ナプキン又はその構成部材における、生理用ナプキンの着用時に着用者の肌側に向けられる面であり、非肌当接面は、生理用ナプキン又はその部材における、生理用ナプキンの着用時に肌側とは反対側（衣類側）に向けられる面である。また、長手方向は、生理用ナプキン又はその構成部材の長辺に沿う方向であり、幅方向は、該長手方向と直交する方向である。図中、符号Ｙで示す方向は、吸収性本体１０の長手方向（本体長手方向）であり、符号Ｘで示す方向は、吸収性本体１０の幅方向（本体幅方向）である。
【００１６】
ナプキン１は、図１に示すように、一方向に長い形状をしており、その長手方向を、着用時に着用者の腹寄りに配される前方部ｂと、中間部ｃと、着用時に中間部ｃより着用者の背中側に配される後方部ｄとに区分される。前方部ｂには、着用者の排泄部（膣口）に対向配置される排泄部対向部ａが存しており、前方部ｂは排泄部対向部ａを含む領域である。中間部ｃは、排泄部対向部ａよりもナプキン１の長手方向Ｙの後方に位置している。本実施形態のナプキン１における排泄部対向部ａは、左右に一対のウイング部６，６を有する部分である。
【００１７】
尚、本発明の生理用ナプキンにおいて、排泄部対向部は、本実施形態のナプキン１のようにウイング部を有する場合には、通常、該生理用ナプキンの長手方向（図中Ｙ方向）においてウイング部を有する領域である。ウイング部を有しない生理用ナプキンにおける排泄部対向部は、生理用ナプキンが個装形態に折り畳まれた際に生じる、該生理用ナプキンを幅方向（図中Ｘ方向）に横断する２本の折線（図示せず）について、該生理用ナプキンの長手方向の前端から数えて第１折線と第２折線とに囲まれた領域と同じか又は狭い領域である。また、生理用ナプキンの長手方向の長さが長く、３本の前記折線が生じる場合には、生理用ナプキンの長手方向の前端から数えて第１折線と第２折線とに囲まれた領域あるいは該前端から数えて第１折線と第３折線とに囲まれた領域と同じか又は狭い領域である。
【００１８】
更に説明すると、吸収性本体１０は、図２及び図３に示すように、ナプキン１の肌当接面を形成する表面シート２、ナプキン１の非肌当接面を形成する裏面シート３、及びこれら両シート２，３間に介在された吸収体４を具備している。
【００１９】
本実施形態においては、図２及び図３に示すように、表面シート２の長手方向Ｙに沿う両側縁２ｓ，２ｓは、吸収体４の長手方向Ｙに沿う両側縁４ｓ，４ｓと幅方向Ｘにおいて同位置か、又は両側縁４ｓ，４ｓよりも幅方向Ｘの内方に位置しており、表面シート２が吸収体４の両側縁４ｓ，４ｓに挟まれた領域内に収まっている。吸収体４の側縁４ｓは、吸収体４において最も幅方向Ｘに突出している縁である。従来の生理用ナプキンには、表面シートが、吸収体の長手方向に沿う両側縁を超えて幅方向外方に延び、該表面シートの長手方向に沿う両側縁が、吸収体の長手方向に沿う両側縁よりも幅方向外方に位置しているものがあるが、このような構成では、排泄された体液が、拡散しナプキンの側部へ至った際、表面シート２上に留まって防漏壁５の後述する起立部５２や弾性伸縮部５３を汚染し易く、側部における体液の漏れを誘発するおそれがあるところ、本実施形態のように、表面シート２の両側縁２ｓ，２ｓが吸収体４の両側縁４ｓ，４ｓと同位置か又は両側縁４ｓ，４ｓよりも幅方向Ｘの内方に位置していると、このような従来技術の不都合が回避され、また、ナプキンの構成部材の使用量の低減、製造コストの低下が図られる。前述した効果をより確実に奏させるようにする観点から、表面シート２の側縁２ｓは、吸収体４の側縁４ｓから幅方向Ｘの内方に０ｍｍ以上、特に０．５〜４ｍｍ離間した位置に存していることが好ましい。
【００２０】
裏面シート３は、図２及び図３に示すように、吸収体４の非肌当接面の全域を被覆し、更に吸収体４の両側縁４ｓ，４ｓから幅方向Ｘの外方に延出してサイドフラップ部を形成している。前記サイドフラップ部は、図１に示すように、排泄部対向部ａにおいて幅方向Ｘの外方に向かって大きく張り出しており、これにより吸収性本体１０の左右両側に、一対のウイング部６，６が延設されている。また、前記サイドフラップ部は、後方部ｄにおいても幅方向Ｘの外方に向かって大きく張り出しており、これにより吸収性本体１０の左右両側に、一対の後部フラップ部７，７が延設されている。また、表面シート２及び裏面シート３は、図１に示すように、吸収体４の長手方向Ｙの前端及び後端それぞれから外方に延出し、それらの延出部において、接着剤やヒートシール等の公知の接合手段によって、互いに接合されてエンドシール部を形成している。
【００２１】
吸収体４は、図１〜図３に示すように、排泄部対向部ａ及び後方部ｄに、周辺部よりも厚みが厚く且つ表面シート２側に突出して形成された中高部４１，４２を有している。より具体的には、吸収体４は、平面視において角が丸みを帯びた略矩形形状で且つ前方部ｂから中間部ｃを介して後方部ｄに亘って延びる、下層吸収体４０と、下層吸収体４０よりも幅狭で且つ排泄部対向部ａにおいて下層吸収体４０の幅方向中央部の肌当接面側に配置された、前方上層吸収体４３と、下層吸収体４０よりも幅狭で且つ後方部ｄにおいて下層吸収体４０の幅方向中央部の肌当接面側に配置された、後方上層吸収体４４とを有しており、前方上層吸収体４３及び下層吸収体４０における前方上層吸収体４３の下方に位置する部分が、前方中高部４１を形成し、後方上層吸収体４４及び下層吸収体４０における後方上層吸収体４４の下方に位置する部分が、後方中高部４２を形成している。上層吸収体４３，４４は、それぞれ、平面視において角が丸みを帯びた略矩形形状で、その長手方向を下層吸収体４０の長手方向に一致させて、下層吸収体４０上に配置されている。吸収体４（下層吸収体４０、上層吸収体４３，４４）と表面シート２との間は、接着剤によって接合されていても良い。
【００２２】
一対の防漏壁５，５は、それぞれ、図２及び図３に示すように、吸収体４の上方にて長手方向Ｙに沿って表面シート２の肌当接面２ａに接合されており、その接合部１３（図３では図示せず）を起点として着用時に着用者の肌側に向かって起立する起立部５２と、該起立部５２の上端部５２ａに連接され、長手方向Ｙに沿って複数本の弾性部材１５が配されている弾性伸縮部５３とを含んで構成されている。尚、後方部ｄにおける防漏壁５（後方防漏壁５Ｂ）は、図３に示すように、その弾性伸縮部５３の一部が、起立部５２と共に吸収性本体１０に固定されており、これにより、前方部ｂにおける防漏壁５（前方防漏壁５Ａ、図２参照）との比較において、断面形状が異なっているが、前方防漏壁５Ａと後方防漏壁５Ｂとは、防漏壁自体の基本構成は同じである。以下、先ず、前方防漏壁５Ａと後方防漏壁５Ｂとで共通する基本構成について説明し、次に、両者の違いについて説明する。
【００２３】
一対の防漏壁５，５は、それぞれ、幅方向Ｘに一定の幅を有するサイドシート５０を含んで構成されており、サイドシート５０は、図２及び図３に示すように、基壁部５１及びその上端部（起立部５２の上端部５２ａ）に弾性伸縮部５３が連設された形状を有するように折り返されている。起立部５２は、基壁部５１の一部であり、基壁部５１における起立部５２以外の部分（接合部１３と同位置及び接合部１３よりも下方に位置する部分）は、吸収体４の非肌当接面側に巻き下げられ、吸収体４と裏面シート３との間に介在配置されて、接着剤やヒートシール等の公知の接合手段によって固定されている。このように、サイドシート５０を折り返して形成された防漏壁５は、基壁部５１（起立部５２）及び弾性伸縮部５３において２層構造となっており、該２層構造を構成するサイドシート５０，５０間は、図示しない接着剤によって接合されている。
【００２４】
このように、起立部５２が吸収体４の上方に位置する接合部１３を起点として起立するようになされていると、例えば特許文献１の図２に記載されているように、起立部が、吸収体の幅方向外方に位置し且つ該吸収体の非肌当接面と略同一平面上に位置する接合部を起点として起立するようになされている場合に比して、起立起点と起立部の上端部との間の距離が、吸収体の厚みに相当する分短いため、使用時に起立部５２が倒れるおそれが少なく、防漏壁５による所定の防漏効果がより確実に奏されるようになる。
【００２５】
起立部５２と表面シート２との接合部１３は、平面視において線状であり、長手方向Ｙに沿って防漏壁５（吸収性本体１０）の略全長に亘って延びている。接合部１３は、ホットメルト接着剤等の接着剤が塗布されて形成されている。線状の接合部１３は、長手方向Ｙに沿って接着剤が連続的に塗布された連続線であっても良く、あるいは接着剤が不連続に塗布された破線であっても良く、また、直線でも曲線でも良い。本実施形態における線状の接合部１３は、直線且つ連続線である。
【００２６】
弾性伸縮部５３は、起立部５２の上端部５２ａの長手方向Ｙの全長に亘って連接されている。弾性伸縮部５３には、複数本の弾性部材１５が配されていることによって、弾性伸縮性が付与されており、その伸縮方向は長手方向Ｙに一致している。弾性部材１５は、ナプキン１の長手方向Ｙの略全長に亘って配されている。また、弾性伸縮部５３は、長手方向Ｙに延びる複数本の弾性部材１５が配されていることによって、図１〜図３に示すように面状に形成されており、この面状の部分がナプキン１の着用者の肌に当接する。弾性部材１５の本数は、斯かる面状を形成する観点から、好ましくは３本以上、特に５〜７本である。本実施形態における弾性伸縮部５３は、６本の弾性部材１５を有している。
【００２７】
弾性伸縮部５３は、図２及び図３に示すように、起立部５２の上端部５２ａから幅方向Ｘの内方に略水平に張り出す内方弾性伸縮部５３Ａと、上端部５２ａから幅方向Ｘの外方に略水平に張り出す外方弾性伸縮部５３Ｂとから構成されている。内方弾性伸縮部５３Ａ及び外方弾性伸縮部５３Ｂそれぞれには、弾性部材１５が１本以上配されて弾性伸縮性が付与されている。弾性部材１５は、内方弾性伸縮部５３Ａ及び外方弾性伸縮部５３Ｂを構成する２層のサイドシート５０，５０の間に伸長状態で配されており、図示しない接着剤によって両サイドシート５０，５０に接合されている。このように、本実施形態においては、内方弾性伸縮部５３Ａ及び外方弾性伸縮部５３Ｂは、両者が一体となって平面状に形成され、起立部５２と合わせて、幅方向Ｘに沿う断面視においてＴ字状を形成するように起立する。
【００２８】
内方弾性伸縮部５３Ａの張り出し幅と外方弾性伸縮部５３Ｂの張り出し幅との比（前者：後者）は、起立性と身体へのフィット性の観点から、好ましくは３：２〜１：２、更に好ましくは１：１〜２：３である。また、内方弾性伸縮部５３Ａの長手方向Ｙに沿った自由端から外方弾性伸縮部５３Ｂの長手方向Ｙに沿った自由端までの長さ、即ち、面状の弾性伸縮部５３の幅Ｗ１（図２参照）は、フィット性及び漏れ防止の観点から、１５〜３０ｍｍ、特に１７〜２５ｍｍが好ましい。
【００２９】
図１に示すように、ナプキン１の前方部ｂに位置する、防漏壁５の長手方向Ｙの前端部と、ナプキン１の後方部ｄに位置する、防漏壁５の長手方向Ｙの後端部とには、それぞれ、弾性伸縮部５３が吸収性本体１０に固定されて、端部固定部５４（前端部固定部５４ａ，後端部固定部５４ｂ）が形成されていると共に、該前端部と該後端部との間（前端部固定部５４ａと後端部固定部５４ｂとの間）に、弾性伸縮部５３の幅方向Ｘの内方側が吸収性本体１０又は起立部５２に固定されて、中間部固定部５５が局部的に形成されている。
【００３０】
このように、前端部固定部５４ａと後端部固定部５４ｂとの間に中間部固定部５５が局部的に形成されていることにより、中間部固定部５５の前後で起立している起立部５２の、幅方向Ｘの動きの自由度が制限され、これにより、防漏壁５の吸収性本体１０の肌当接面側への倒れ込み（内倒れ）や、これに起因する体液の漏れが効果的に防止される。
【００３１】
ナプキン１は、吸収性本体１０の長手方向Ｙの略全長に亘って延びる左右一対の弾性伸縮部５３，５３が、それぞれ、伸長状態で前端部固定部５４ａ及び後端部固定部５４ｂで固定されていることにより、図１に示すように、自然状態において端部固定部５４ａ，５４ｂの間の中間部固定部５５の前後で湾曲する。ナプキン１は、弾性伸縮部５３の収縮によって、長手方向Ｙの全体形状が、肌当接面側（表面シート２側）に凹状に湾曲している。
【００３２】
図４には、中間部固定部５５の幅方向Ｘに沿う模式的な断面図が示されている。尚、図４では、右側の中間部固定部５５のみを示しているが、左側の中間部固定部５５も右側と同様に構成されている。中間部固定部５５は、図４に示すように、弾性伸縮部５３の長手方向Ｙに沿う内側縁部５３ｓａを含む、内方弾性伸縮部５３Ａの略全域が、折り重ねられた起立部５２と共に、吸収性本体１０を構成する表面シート２に、接着剤やヒートシール等の公知の接合手段で接合され固定されて形成されている。本実施形態における中間部固定部５５は、内方弾性伸縮部５３Ａをその肌当接面側から加熱加圧（ヒートシール）し、起立部５２を介して吸収性本体１０に熱融着させることによって形成されている。
【００３３】
中間部固定部５５の弾性伸縮部５３は、図４に示すように、内方弾性伸縮部５３Ａの少なくとも内側縁部５３寄りの部分は、吸収性本体１０に固定されているが、外方弾性伸縮部５３Ｂは、その全域が他の部材に固定されておらず、外側縁部５３ｓｂは自由縁部となっている。尚、図示していないが、端部固定部５４も、図４に示す中間部固定部５５と同様に構成されている。
【００３４】
そして、本実施形態における防漏壁５は、図１に示すように、中間部固定部５５を基準として、前記前端部側に位置する（中間部固定部５５と前端部固定部５４ａとの間に位置する）前方防漏壁５Ａと、前記後端部側に位置する（中間部固定部５５と後端部固定部５４ｂとの間に位置する）後方防漏壁５Ｂとに区分され、前方防漏壁５Ａの方が、後方防漏壁５Ｂよりも長手方向Ｙの長さが長くなっている。中間部固定部５５は、通常、中間部ｃ又はその近傍（中間部ｃから長手方向Ｙに２０ｍｍ以内の領域）に形成される。前方防漏壁５Ａは、排泄部対向部ａを含む領域である前方部ｂに配されており、後方防漏壁５Ｂは、後方部ｄに配されている。
【００３５】
また、図３に示すように、後方防漏壁５Ｂは、その弾性伸縮部５３の幅方向Ｘの内方側が、その長手方向Ｙの全長に亘り吸収性本体１０又は起立部５２に固定されており、且つその固定幅Ｗ３は、中間部固定部５５における弾性伸縮部５３と吸収性本体１０又は起立部５２との固定幅Ｗ２（図４参照）よりも短くなっている。より具体的には、後方防漏壁５Ｂは、弾性伸縮部５３の内側縁部５３ｓａ及び外側縁部５３ｓｂを除く、該弾性伸縮部５３の幅方向Ｘの中間部が、該中間部（後方防漏壁５Ｂ）の長手方向Ｙの全長に亘り吸収性本体１０又は起立部５２に固定されている。本実施形態における後方防漏壁５Ｂは、図３に示すように、内方弾性伸縮部５３Ａにおける、内側縁部５３ｓａ及びその近傍を除く部分が、折り重ねられた起立部５２と共に、吸収性本体１０を構成する表面シート２に、ヒートシールによって固定されている。
【００３６】
ここで、「後方防漏壁（後方防漏壁の弾性伸縮部の本体幅方向内方側）が、その本体長手方向の全長に亘り固定されている」とは、後方防漏壁（後方防漏壁の弾性伸縮部の本体幅方向内方側）と吸収性本体又は起立部との固定部が、後方防漏壁の本体長手方向の全長に亘って存在していることを意味し、該固定部が、後方防漏壁の本体長手方向の全長に亘って途切れることなく連続して、該固定部全体として本体長手方向に延びる連続直線を形成している形態のみならず、複数の該固定部が本体長手方向に所定間隔を置いて間欠配置されて、該固定部全体として本体長手方向に延びる不連続な破線を形成している形態を含む。また、前記固定部は、平面視において、本体長手方向に延びる直線の他、２本以上の破線、波状線、あるいは本体長手方向の後方に向かうほど外側縁部側が狭くなる傾斜線等とすることができる。特に、前記固定部が平面視において破線や波状線であると、肌との接触部分である該固定部を変化させることができるため、着用時の違和感等を低減することが可能となる。
【００３７】
後方防漏壁５Ｂの弾性伸縮部５３においては、図３に示すように、内方弾性伸縮部５３Ａは、内側縁部５３ｓａ及びその近傍を除いて、吸収性本体１０（表面シート２）に固定されているが、外方弾性伸縮部５３Ｂは、中間部固定部５５の外方弾性伸縮部５３Ｂと同様に、その全域が他の部材に固定されておらず、外側縁部５３ｓｂは自由縁部となっている。後方防漏壁５Ｂの弾性伸縮部５３と中間部固定部５５の弾性伸縮部５３とは、吸収性本体１０との固定幅が異なっている。そして、このように、内方弾性伸縮部５３Ａが起立部５２を介して吸収性本体１０に固定され、外方弾性伸縮部５３Ｂが他の部材に固定されていないことにより、外方弾性伸縮部５３Ｂ、特に、内方弾性伸縮部５３Ａと吸収性本体１０との固定部から最も離れている外側縁部５３ｓｂが、弾性部材１５による収縮力によって、図３に示すように、上側（着用時における着用者の肌側）に向けて持ち上がり、内方弾性伸縮部５３Ａよりも肌側に近接する。そのため、後方防漏壁５Ｂの弾性伸縮部５３は、外側縁部５３ｓｂの方が、該外側縁部５３ｓｂとは反対側に位置する該弾性伸縮部５３の内側縁部５３ｓａよりも、表面シート２からの高さが高くなっており、図３において、内側縁部５３ｓａの高さＴ１＜外側縁部５３ｓｂの高さＴ２となっている。
【００３８】
一方、前方防漏壁５Ａにおいては、図２に示すように、その弾性伸縮部５３は、吸収性本体１０又は起立部５２に固定されておらず、後方防漏壁５Ｂのように、起立部５２の起立は阻害されていない。このように、本実施形態のナプキン１においては、前方防漏壁５Ａと後方防漏壁５Ｂとで、図２及び図３に示すように、幅方向Ｘに沿う断面形状が異なっている。
【００３９】
このように、前方防漏壁５Ａと後方防漏壁５Ｂとで、幅方向Ｘに沿う断面形状が異なるように設計したのは、主として、前述した、排泄部付近とお尻の後部とでの違い〔前記１）〜５）〕を考慮し、排泄部付近とお尻の後部とで防漏壁５の役割分担を図った結果である。本実施形態のナプキン１においては、着用者の排泄部付近には、主として、排泄部対向部ａを含む前方部ｂに配された前方防漏壁５Ａが対応し、着用者のお尻の後部には、主として、後方部ｄに配された後方防漏壁５Ｂが対応する。前記１）を考慮すると、前方防漏壁５Ａは、変形し易く、着用者の動きに追従し易いことが好ましいが、後方防漏壁５Ｂは、前方防漏壁５Ａほどの変形容易性は必要ない。また、前記２）を考慮すると、後方防漏壁５Ｂは、ナプキン１の長手方向Ｘにさほどカーブする必要はない。また、前記３）を考慮すると、後方防漏壁５Ｂは、前方防漏壁５Ａほどの起立高さ（表面シート２の肌当接面２ａと弾性伸縮部５３との離間距離）は必要ない。また、前記４）を考慮すると、特に後方防漏壁５Ｂについては、ナプキン１の装着時に内倒れしないように工夫する必要がある。また、前記５）を考慮すると、特に後方防漏壁５Ｂについては、伝い漏れを効果的に防止し得る工夫が必要である。このような観点から、本実施形態においては、防漏壁５を、中間部固定部５５を基準として、前方防漏壁５Ａと後方防漏壁５Ｂとに区分し、前方防漏壁５Ａを、排泄部付近の対応に特化させると共に、後方防漏壁５Ｂを、お尻の後部の対応に特化させ、斯かる防漏壁５の役割分担によって、ナプキン１全体として、フィット性及び漏れ防止性の向上を図っている。
【００４０】
防漏壁５による作用効果を一層確実に奏させるようにする観点から、防漏壁５の各部の寸法等は、それぞれ、下記範囲内にあることが好ましい。
前方防漏壁５Ａの長さＬ１と後方防漏壁５Ｂの長さＬ２との比（Ｌ１／Ｌ２、図１参照）は、好ましくは１．１〜３、更に好ましくは１．２〜２である。また、長さＬ１は、好ましくは１００〜１７０ｍｍ、更に好ましくは１２０〜１５０ｍｍである。
【００４１】
後方防漏壁５Ｂにおいて、内側縁部５３ｓａの表面シート２からの高さＴ１と、外側縁部５３ｓｂの表面シート２からの高さＴ２との比（Ｔ１／Ｔ２、図３参照）は、好ましくは０．１〜０．９、更に好ましくは０．３〜０．７である。また、高さＴ１は、好ましくは０〜５ｍｍ、更に好ましくは１〜４ｍｍである。
【００４２】
後方防漏壁５Ｂにおける弾性伸縮部５３の吸収性本体１０又は起立部５２との固定幅Ｗ３（図３参照）と、中間部固定部５５における弾性伸縮部５３の吸収性本体１０又は起立部５２との固定幅Ｗ２（図４参照）との比（Ｗ３／Ｗ２）は、好ましくは０．２〜１、更に好ましくは０．３〜０．６である。また、固定幅Ｗ３は、好ましくは１〜７ｍｍ、更に好ましくは２〜５ｍｍである。
【００４３】
本実施形態のナプキン１について更に説明すると、図１に示すように、ナプキン１の肌当接面（表面シート２の肌当接面２ａ）における、該ナプキン１の平面視において吸収体４と重なる領域には、表面シート２及び吸収体４が裏面シート３に向かって一体的に凹陥した、線状の溝部８が形成されている。溝部８においては、表面シート２及び吸収体４が熱融着等により一体化している。溝部８は、中高部４１，４２を包囲するように形成されている。このように、ナプキン１の肌当接面側に、表面シート２と吸収体４とが一体化された溝部８が形成されていることにより、吸収体４の平面方向の液の拡散が効果的に抑制されるようになり、また吸収体４のヨレを防止できる。溝部８の形成は、経血等の排泄液の拡散防止、着用時の身体に対する密着性の向上等に特に有効である。溝部８は、熱を伴うか又は伴わないエンボス、あるいは超音波エンボス等のエンボス加工により常法に従って形成することができる。
【００４４】
ナプキン１における各部の形成材料について説明すると、表面シート２及び裏面シート３としては、当該技術分野において従来用いられている各種のものを特に制限なく用いることができる。表面シート２としては、例えば、親水化処理が施された各種不織布や開孔フィルム等の液透過性のシートを用いることができる。また、裏面シート３としては、液不透過性でも液透過性でも良く、例えば透湿性を有しない樹脂フィルムや、微細孔を有し、透湿性を有する樹脂フィルム、撥水不織布等の不織布、これらと他のシートとのラミネート体等を用いることができる。
【００４５】
吸収体４（下層吸収体４０、上層吸収体４３，４４）を構成する材料としては、当該技術分野において従来用いられている各種のものを特に制限なく用いることができ、例えば、木材パルプ、合繊繊維等の親水性繊維からなる繊維集合体、又は該繊維集合体に粒子状の高吸水性樹脂を保持させたもの等を用いることができる。また吸収体４は、該繊維集合体等からなる液保持性の吸収性コア（図示せず）と、該吸収性コアを被覆する液透過性のコアラップシート（図示せず）とを含んで構成されていても良く、その場合、吸収性コアとコアラップシートとの間は、所定の部位においてホットメルト粘着剤等の接合手段により接合されていても良い。吸収性コアを被覆するコアラップシートとしては、例えば、ティッシュペーパー等の紙や各種不織布、開孔フィルム等を用いることができる。
【００４６】
防漏壁５〔基壁部５１（起立部５２）、弾性伸縮部５３〕を構成するサイドシート５０としては、当該技術分野において従来用いられている各種のものを特に制限なく用いることができ、例えば、例えば、撥水性の不織布、樹脂フィルム製のシート、不織布と樹脂フィルムとのラミネート体等を用いることができる。特に撥水性のエアスルー不織布を用いることが、肌触りのよさと横モレ防止の点から好ましい。また、弾性伸縮部５３に配される弾性部材１５としては、当該技術分野において従来用いられている各種のものを特に制限なく用いることができ、糸状でも帯状でも良い。
【００４７】
本実施形態のナプキン１は、公知のウイング部を有する生理用ナプキンと同様に下着に装着して使用する。本実施形態のナプキン１によれば、着用者の排泄部付近に対向する排泄部対向部ａを含む、前方部ｂでは、前方防漏壁５Ａが、表面シート２から着用者の肌側に向かって起立する起立部５２及び面状の弾性伸縮部５３を有しているため、該弾性伸縮部５３が着用者の身体に追従性良くフィットする。また、お尻の後部を含む後方部ｄでは、後方防漏壁５Ｂの弾性伸縮部５３において、幅方向Ｘの外方側（外側縁部５３ｓｂ）の方が、内方側（内側縁部５３ｓａ）よりも肌側に持ち上がっていて、該内方側の方が該外方側よりも起立高さが低くなされているため、後方防漏壁５Ｂと表面シート２との間に隙間が発生し難く、幅方向Ｘへの液の漏れ出し（横漏れ）が効果的に防止され、伝い漏れを起こし難い。また、後方防漏壁５Ｂの起立高さは、前方防漏壁５Ａとの比較において低くなされているため、後方防漏壁５Ｂは、お尻の後部にフィットし易く且つ内倒れを起こし難い。
【００４８】
本発明に係る前方防漏壁、後方防漏壁は、それぞれ、前述した実施形態に制限されず、本発明の趣旨を逸脱しない範囲で種々の形態のものを採用することができる。図５には、本発明に係る前方防漏壁の他の実施形態が、図６には、本発明に係る後方防漏壁の他の実施形態が示されている。後述する他の実施形態については、前述した実施形態と異なる構成部分を主として説明し、同様の構成部分は同一の符号を付して説明を省略する。特に説明しない構成部分は、前記実施形態についての説明が適宜適用される。尚、以下では、主として生理用ナプキンの長手方向Ｙに沿う右側について説明するが、特に断らない限り、左側についても右側と同様に構成されている。
【００４９】
図５（ａ）に示す前方防漏壁５Ａ１及び図５（ｂ）に示す前方防漏壁５Ａ２は、何れも、弾性伸縮部５３が、起立部５２の上端部５２ａから幅方向Ｘの外方に張り出す外方弾性伸縮部のみから構成されている点で、第１実施形態と異なる。但し、前方防漏壁５Ａ１，５Ａ２における弾性伸縮部５３は、長手方向Ｙに沿って複数本の弾性部材１５が配されているという点では、第１実施形態における弾性伸縮部５３と同じである。前方防漏壁５Ａ１における弾性伸縮部５３は、図５（ａ）に示すように、肌側（上側）に向けて凸に屈曲していて、断面視において略く字状であるのに対し、前方防漏壁５Ａ２における弾性伸縮部５３は、図５（ｂ）に示すように、屈曲しておらず、断面視において略直線状である。また、前方防漏壁５Ａ１，５Ａ２それぞれにおいて、起立部５２は、表面シート２との接合部１３を起点として、幅方向Ｘの内方且つ上方に向かって起立しており、やや内側に倒れた状態となっている。
【００５０】
図６（ａ）〜図６（ｃ）に示す後方防漏壁は、何れも、断面視においてＴ字状の防漏壁の変形例であり、前述した図１〜図４に示す実施形態における後方防漏壁５Ｂの変形例である。
図６（ａ）に示す後方防漏壁５Ｂ１においては、弾性伸縮部５３の幅方向Ｘの内方側が、起立部５２のみに固定されている。即ち、後方防漏壁５Ｂ１においては、内方弾性伸縮部５３Ａにおける少なくとも内側縁部５３ｓａ及びその近傍部分は、折り重ねられた起立部５２にヒートシールによって固定されているものの、弾性伸縮部５３は、表面シート２（吸収性本体１０）には固定されていない。
【００５１】
図６（ｂ）に示す後方防漏壁５Ｂ２においては、起立部５２が折り畳まれ、弾性伸縮部５３の内側縁部５３ｓａ及びその近傍が、折り畳まれた起立部５２よりも幅方向Ｘの内方にて、表面シート２にヒートシールによって固定されている。後方防漏壁５Ｂ２においては、起立部５２は表面シート２（吸収性本体１０）に固定されていない。
【００５２】
図６（ｃ）に示す後方防漏壁５Ｂ３は、起立部５２の折り畳み形態の点で、図６（ｂ）に示す後方防漏壁５Ｂ２と異なる。即ち、後方防漏壁５Ｂ２における起立部５２は、図６（ｂ）に示すように、接合部１３よりも幅方向Ｘの内方の位置において、幅方向Ｘの外方に向けて折り返されているだけで、起立部５２の折り返し部は１つであるが、後方防漏壁５Ｂ３における起立部５２は、図６（ｃ）に示すように、更に、接合部１３よりも幅方向Ｘの外方の位置において、幅方向Ｘの内方に向けて折り返されており、起立部５２の折り返し部は２つである。
【００５３】
図６（ｄ）に示す後方防漏壁５Ｂ４は、図５（ａ）に示す前方防漏壁５Ａ１及び図５（ｂ）に示す前方防漏壁５Ａ２に対応する後方防漏壁であり、前方防漏壁５Ａ１又は５Ａ２と組み合わされて用いられる。図６（ｄ）に示す後方防漏壁５Ｂ４は、起立部５２の上端部５２ａの近傍に位置する内側縁部５３ｓａが、該上端部５２ａと共に、表面シート２（吸収性本体１０）にヒートシールによって固定されている。
【００５４】
図６（ａ）〜図６（ｄ）に示す後方防漏壁であっても、その表面シート２からの起立高さは、前方防漏壁の該起立高さとの比較において低くなされており、また、外側縁部５３ｓｂの方が、内側縁部５３ｓａよりも肌側に持ち上がっているため、前述した図１〜図４に示す実施形態と同様の効果が奏される。
【００５５】
以上、本発明をその好ましい実施形態に基づき説明したが、本発明は前記実施形態に制限されない。例えば、図３に示す後方防漏壁５Ｂにおいては、内側縁部５３ｓａ及びその近傍は、表面シート２（吸収性本体１０）又は起立部５２に固定されていなかったが、これらに固定されていても良い。また、前記実施形態では、表面シート２の両側縁２ｓ，２ｓは、吸収体４の両側縁４ｓ，４ｓと同位置か又は両側縁４ｓ，４ｓよりも幅方向Ｘの内方に位置していたが、吸収体４の両側縁４ｓ，４ｓよりも幅方向Ｘの外方に位置していても良い。また、ナプキン１は、ウイング部６を有しないものであっても良く、後部フラップ部７を有しないものであっても良く、ウイング部６及び後部フラップ部７を有しないものであっても良い。また、本発明の生理用ナプキンは、パンティライナー（おりものシート）、失禁パッド等であっても良い。
【符号の説明】
【００５６】
１  生理用ナプキン（吸収性物品）
２  表面シート
３  裏面シート
４  吸収体
５  防漏壁
５Ａ，５Ａ１，５Ａ２  前方防漏壁
５Ｂ，５Ｂ１，５Ｂ２，５Ｂ３，５Ｂ４  後方防漏壁
１０  吸収性本体
１５  弾性部材
５０  サイドシート
５１  基壁部
５２  起立部
５２ａ  起立部の上端部
５３  弾性伸縮部
５３ｓａ  弾性伸縮部の内側縁部
５３ｓｂ  弾性伸縮部の外側縁部
５３Ａ  内方弾性伸縮部
５３Ｂ  外方弾性伸縮部
５４  端部固定部
５４ａ  前端部固定部
５４ｂ  後端部固定部
５５  中間部固定部
ａ  排泄部対向部
ｂ  前方部
ｃ  中間部
ｄ  後方部
Ｘ  本体幅方向
Ｙ  本体長手方向
【図１】
2011125356.tif 000003
【図２】
2011125356.tif 000004
【図３】
2011125356.tif 000005
【図４】
2011125356.tif 000006
【図５】
2011125356.tif 000007
【図６】
2011125356.tif 000008